(57)【特許請求の範囲】
【請求項１】
上方にフック部が形成された直方体の箱部を円筒型電池の収納空間とするつり下げ可能な電池用パッケージであって、
折り線が画成された１枚の台紙から組み立てられ、
前記箱部は、矩形状の前面と後面を上面および下面を介して連結される中空角筒を主体としてなり、
前面の左右縁辺を基端として翼状に左右に延長する外側フラップ部と、後面の左右縁辺を基端として翼状に左右に延長する内側フラップ部とを備え、
前記内側フラップ部が、前記基端にて谷折りにされて箱部内側に折り返されるとともに、当該基端に平行な２本の山折り線によりコの字型となるように箱部内で屈曲されることで、前記箱部内が左右と中央の３つの空間に仕切られるとともに、当該中央の空間が電池収納空間として前記円筒型電池の左右幅に一致するように形成され、
前記内側フラップ部がコの字型に屈曲されている状態において、前記外側フラップ部が、基端にて後面側に谷折りにされることで前記箱部の左右側面が形成されるとともに、前記基端と平行な谷折り線により前記先端縁辺が当該外側フラップ部の後面に回り込むように屈曲され、
前記外側フラップ部の前記先端縁辺が前記後面にて保持されることで前記箱部が封口される
ことを特徴とする紙製電池パッケージ。
【請求項２】
前記外側フラップ部の先端縁辺は、前記後面に画成された切り込みに挿入されることで保持されることを特徴とする請求項１に記載の紙製電池パッケージ。
【請求項３】
前記フック部は、後面の上方に一体的に形成された後面フック部と、上面に山折り線を介して一体的に連続して形成された前面フック部とが積層された状態で保持されてなり、
前記前面フック部は、左右縁辺を基端として翼状に左右に先端縁辺に向けて延長するフック用フラップ部を備え、
前記フック用フラップ部は、前記基端にて山折りされて後面フック部の背面に回り混むように屈曲されるとともに、先端縁辺が当該背面に画成された切り込みに挿入されることで、前記前面フック部と前記後面フック部とが積層された状態で保持される
ことを特徴とする請求項１または２に記載の紙製電池パッケージ。
【発明の詳細な説明】
【技術分野】
【０００１】
上方にフック部を備えて円筒型電池を収納した状態でつり下げ可能な電池パッケージに関する。具体的には、１枚の台紙を折り線に沿って屈曲することで組み立てられる紙製電池パッケージに関する。
【背景技術】
【０００２】
「単一」「単三」などの呼称でサイズが指定される円筒型電池（以下、電池）が吊り下げ可能なパッケージに収納された状態で店頭販売されているのをよく見かける。最近では、環境への配慮や、ゴミになったときの分別回収などの観点から、全部が紙でできた紙製電池パッケージが多くなってきている。図８に従来の紙製電池パッケージの一例を示した。同図（Ａ）と（Ｂ）は、それぞれ、前面からの斜視図と後面からの斜視図である。この電池パッケージ１ｅは、電池収納空間となる箱部１００の上方に吊り下げ用の孔１１１が穿設されたフック部１１０が形成された基本形状をなしており、箱部１００は、中身を確認するための矩形状の窓１２０が開口した前面１０１と後面１０２が上面１０３と下面１０４によって連結された略角筒を主体とし、前面１０１の左右縁辺（１２１Ｌ，１２１Ｒ）のそれぞれに連接された左右の側面（１０５Ｌ，１０５Ｒ）によって角筒の両端開口を塞ぐ構造となっている。
【０００３】
当該構造において、フック部１１０は、前後２つの面が積層された状態で貼着されてなり、箱部１００の前面１０１より後面１０２が幅広で、この後面１０２が上方に延長してフック部１１０の後面側と一体となっている。また、箱部１００の前面１０１は、収納される電池に応じた左右幅（ｗ１００）を有し、前面１０１の左右縁辺（１２１Ｌ，１２１Ｒ）が、左右の側面（１０５Ｌ，１０５Ｒ）に連続し、その側面（１０５Ｌ，１０５Ｒ）は、前記左右縁辺（１２１Ｌ，１２１Ｒ）に平行な折り線（１２２Ｌ，１２２Ｒ）を介して後面１０２との積層面（１０６Ｌ，１０６Ｒ）に連接されている。したがって、上記従来例における電池パッケージ１ｅでは、箱部１００の左右の長さｗ１００は、収納される電池の大きさに応じて異なることになる。
【０００４】
ところで、上記電池パッケージ１ｅは、図９に示した折り線が画成された台紙２００ｃを起源として組み立てられる。この図において、一点鎖線が谷（紙面奥から手前方向の）折り線（１２１Ｒ，１２１Ｌ，１２３〜１２５）であり、鎖線が山折り線（１２２Ｌ，１２２Ｒ，１２３，１２６）であり、各折り線は、隣接する面同士を直交させるように屈曲される。
【０００５】
図１０（Ａ）〜（Ｃ）に、当該台紙２００ｃを図８に示した電池パッケージ１ｅにするまでの組立手順を示した。通常、電池メーカは、台紙を専業メーカに製造させる。そして、専業メーカは、台紙２００ｃを上下二つ折りにするとともに、台紙２００ｃの上下両端に配置された面（後面フック部１１３，前面フック部１１２）を積層して相互に貼着した状態で電池メーカに納入する（Ａ）。この状態から、まず、台紙２００ｃにおいて、左右方向に延長する折り線（１２３〜１２６）を屈曲し、上面１０３と下面１０４を立ち上げる。それによって、前面１０１と後面１０２がそれぞれ上下の面（１０３，１０４）で連結された角筒状態となる（Ｂ）。次いで、前面１０１の左右縁辺（１２１Ｌ，１２１Ｒ）を基端として翼状に左右に延長するフラップ（１３０Ｌ，１３０Ｒ）の一方をその基端（１２１Ｌ，１２１Ｒ）で谷折りにするとともに、当該基端（１２１Ｌ，１２１Ｒ）と平行な先端側の折り線（１２２Ｌ，１２２Ｒ）に沿って山折りにする。それによって、フラップ（１３０Ｌ，１３０Ｒ）の基端（１２１Ｌ，１２１Ｒ）側の面（１０５Ｌ，１０５Ｒ）が箱部１００の側面（１０５Ｌ，１０５Ｒ）となり、先端側の面（１０６Ｌ，１０６Ｒ）が箱部１００の後面１０２の左右両側に積層される。そして、接着剤を用いた熱シールなどによって、先端側の面（１０６Ｌ，１０６Ｒ）の裏側と後面１０２のおもて側を相互に接着させる（Ｃ）。他方のフラップ（１３０Ｒ，１３０Ｌ）も同様にして屈曲、接着し、図１０に示した電池パッケージ１ｅを完成させる。電池の収納は、例えば、箱部１００の角筒を立ち上げた時点（Ｂ）や、片側のフラップ（１３０Ｌ，１３０Ｒ）の先端側の面（１０６Ｌ，１０６Ｒ）を後面１０２に接着した時点（Ｃ）など適時に行えばよい。なお、以下の特許文献１〜３には、上記従来例とは異なる構造の紙製電池パッケージについて記載されている。
【特許文献１】特開平８−２３０９３４号公報
【特許文献２】特開２００３−８６１６１号公報
【特許文献３】特許第３７８４３２９号公報
【発明の開示】
【発明が解決しようとする課題】
【０００６】
従来例として示した上記電池パッケージでは、前後面のフック部が貼着された状態の台紙から当該電池パッケージを完成させるまでの組立工程において、箱部を封口するための熱シール装置など設備が必要となる。そのため、例えば、人件費の安い海外に生産拠点をシフトさせ、そこで電池パッケージの組立を行わせることでコストダウンを図る、という場合などでは、その生産拠点を立ち上げる際の初期設備投資が大きくなり、意図したほどのコストダウン効果が得られない、という問題が生じる可能性がある。
【０００７】
たしかに、上記特許文献３に記載された電池パッケージは、組立工程において熱シールを必要としない構造であるが、電池パッケージには、組み立てやすさなどのコストダウンに対する要求に加え、店頭に陳列されるときの「見映え」も要求される。上記従来例や上記各特許文献に記載された電池パッケージは、収納される電池のサイズによって箱部の左右のサイズが異なってしまうため、店頭に陳列する際に外観に統一性がなく、美観が損なわれる。低価格であっても、店頭での見映えがよくなければ、よほど必要性に迫られている消費者でない限り、購入意欲が湧かないはずである。もちろん、電池パッケージには、コストや外観の見映え以前に、輸送時に収納されている電池を確実に保護する、という基本機能が求められる。
【０００８】
従って本発明は、環境に優しい紙製で、熱シール工程など機械を使用した製造工程を必要とせずに低コストで組み立てられるとともに、店頭に陳列された際には優れた美観を有し、かつ、輸送時には、収納される電池を確実に保護できる紙製電池パッケージを提供することを目的としている。
【課題を解決するための手段】
【０００９】
上記目的を達成するための本発明は、上方にフック部が形成された直方体の箱部を円筒型電池の収納空間とするつり下げ可能な電池用パッケージであって、
折り線が画成された１枚の台紙から組み立てられ、
前記箱部は、矩形状の前面と後面を上面および下面を介して連結される中空角筒を主体としてなり、
前面の左右縁辺を基端として翼状に左右に延長する外側フラップ部と、後面の左右縁辺を基端として翼状に左右に延長する内側フラップ部とを備え、
前記内側フラップ部が、前記基端にて谷折りにされて箱部内側に折り返されるとともに、当該基端に平行な２本の山折り線によりコの字型となるように箱部内で屈曲されることで、前記箱部内が左右と中央の３つの空間に仕切られるとともに、当該中央の空間が電池収納空間として前記円筒型電池の左右幅に一致するように形成され、
前記内側フラップ部がコの字型に屈曲されている状態において、前記外側フラップ部が、基端にて後面側に谷折りにされることで前記箱部の左右側面が形成されるとともに、前記基端と平行な谷折り線により前記先端縁辺が当該外側フラップ部の後面に回り込むように屈曲され、
前記外側フラップ部の前記先端縁辺が前記後面にて保持されることで前記箱部が封口される
紙製電池パッケージとしている。
【００１０】
なお、当該紙製電池パッケージにおいて、前記外側フラップ部の先端縁辺が、前記後面に画成された切り込みに挿入されることで保持されるようにすればより好ましい。
【００１１】
また、前記フック部が、後面の上方に一体的に形成された後面フック部と、上面に山折り線を介して一体的に連続して形成された前面フック部とが積層された状態で保持されてなり、
前記前面フック部は、左右縁辺を基端として翼状に左右に先端縁辺に向けて延長するフック用フラップ部を備え、
前記フック用フラップ部は、前記基端にて山折りされて後面フック部の背面に回り混むように屈曲されるとともに、先端縁辺が当該背面に画成された切り込みに挿入されることで、前記前面フック部と前記後面フック部とが積層された状態で保持される紙製電池パッケージとすることもできる。
【発明の効果】
【００１２】
本発明の紙製電池パッケージによれば、環境問題に対応しつつ低コスト化が達成できるとともに、優れた美観によって消費者の購買意欲を促進させることができる。また、収納される電池を確実に保護することができる。
【発明を実施するための最良の形態】
【００１３】
＝＝＝電池パッケージの基本構造＝＝＝
図１に本発明の実施例における紙製電池パッケージ（以下、電池パッケージ）１ａの外観を示した。また、図２（Ａ）に箱部９０に電池が収納されている状態の電池パッケージ１ａの一部破断斜視図を示し、同図（Ｂ）に（Ａ）におけるａ−ａ矢視断面図を示した。本実施例の電池パッケージ１ａは、略直方体形状の箱部９０の上方に当該箱部９０と同じ幅のフック部１０が形成された基本形状をなし、箱部９０は、後面２と、内容物を確認するための窓孔２０を備えた略矩形状の前面１とが上面３と下面４で連結された略角筒を主体として、前面３の左右縁辺（２１Ｌ，２１Ｒ）に左右側面（５Ｌ，５Ｒ）が連接され、さらに、その側面（５Ｌ，５Ｒ）の後面側縁辺（２２Ｌ，２２Ｒ）に後面に回り込む面（６Ｌ，６Ｒ）が連接されている。そして、この後面に回り込む面（６Ｌ，６Ｒ）の先端が後面２にて保持されることで箱部９０が封口される。なお、当該先端は、粘着テープなどで保持されるようにしてもよいが、この例では、当該先端が後面２に画成された波状の切り込み５０に差し込まれることで保持されている。それによって、紙以外の材料を一切使用しない極めて環境に優しい電池パッケージとすることができる。また、差し込み５０に上記先端を挿抜することで当該電池パッケージの開封と封口が自在となり、例えば、当該電池パッケージ１ａを予備用充電池の携帯ケースなどとして再利用することもできる。
【００１４】
また、箱部９０の内部には、後面２の左右縁辺（４４Ｌ，４４Ｒ）に連接されたフラップ（内側フラップ：４０Ｌ，４０Ｒ）が略コの字型に屈曲された状態で収納されている。内側フラップ（４０Ｌ，４０Ｒ）には、後面２の左右縁辺（４４Ｌ，４４Ｒ）を基端として、先端に向けて３つの面（４１Ｌ〜４３Ｌ，４１Ｒ〜４３Ｒ）が連接されてなり、これら３つの面が略コの字型断面における下辺（４１Ｌ，４１Ｒ）、側辺（４２Ｌ，４２Ｒ）、下辺（４３Ｌ，４３Ｒ）を形成する。そして、この略コの字型に屈曲されて箱部９０内に収納された内側フラップ（４０Ｌ，４０Ｒ）により、箱部９０の内部が左右と中央の３つの空間（９０Ｌ，９０Ｒ，９０Ｃ）に区画される。
【００１５】
これら３つの空間（９０Ｌ，９０Ｒ，９０Ｃ）の内、中央の空間９０Ｃは、電池８０が収納される空間であり、この例では、複数本の円筒型電池８０が上下に１列に並んで収納されている。もちろん、左右に１列に並べられていてもよい。そして、当該収納電池８０の幅、すなわち、各電池８０の左右の長さ（左右１列に並べられている場合はその列の左右幅）が箱部９０内の中央の空間９０Ｃの左右幅にほぼ一致し、各電池８０の円筒両端面が略コの字型に屈曲された内側フラップ（４０Ｌ，４０Ｒ）の側面（４２Ｌ，４２Ｒ）に当接し、箱部９０内での電池８０の移動を制限するとともに、当該内側フラップ（４０Ｌ，４０Ｒ）によって形成された左右の空間（９０Ｌ，９０Ｒ）が外部からの衝撃を干渉し、箱部９０内の電池８０を確実に保護する。
【００１６】
さらに、本実施例における電池パッケージ１ａは、収納される電池８０のサイズによらず、箱部９０の左右の幅を電池パッケージ１ａの全幅ｗに一致させることができるとともに、その幅ｗを一定にすることができる。それによって、店頭に陳列された際、どんなサイズの電池が収納されていても、横幅ｗが統一され、見映えを良くすることができる。見映えの良さは、消費者の購買意欲を刺激し、電池の購入機会を増加させることが期待できる。
【００１７】
＝＝＝台紙形状と組立手順＝＝＝
＜台紙＞
上述した本実施例の電池パッケージ１ａは、折り線が画成された１枚の台紙を起源として組み立てられる。図３に当該台紙２００ａの平面形状を示した。この図では、正面が箱部９０の内面側で、上方と下方が、それぞれフック部１０の後面側と前面側の面（後面フック部１３，前面フック部１２）となるように配置されている。また、図中において、谷折り（紙面、奥から手前側）線（２１Ｌ，２１Ｒ，２２Ｌ，２２Ｒ，２３〜２５，４４Ｌ，４４Ｒ）を一点鎖線で示し、山折り線（２６，４５Ｌ，４５Ｒ，４６Ｌ，４６Ｒ）を鎖線で示した。以下、この図の台紙２００ａにおける各折り線における屈曲方向に基づいて山折り／谷折りを規定する。また、完成後の電池パッケージ１ａについては、フック部１００を上方にして前面２を正面にしてから見たときの状態を基準として上下左右を規定する。
【００１８】
＜組立手順＞
図４に電池パッケージ１ａの組立手順を示した。上述した従来例と同様に、フック部１０となる前面フック部１２と後面フック部１３が貼着された状態（Ａ）から組み立てが開始される。まず、左右方向に延長する谷折り線（２３〜２６）を折り曲げて上面３と下面４を立ち上げる。それによって、箱部９０の基本構造となる前面１と後面２とそれらを連結する上面と下面とにより形成する略角筒が形成されるとともに、外側フラップ（３０Ｌ，３０Ｒ）と内側フラップ（４０Ｌ，４０Ｒ）が対面しつつ左右に延長する（Ｂ）。
【００１９】
次に、左右どちらか一方の内側フラップ（４０Ｌ，４０Ｒ）を後面２との連接縁辺（４４Ｌ，４４Ｒ）にて谷折りにして箱部９０内に折り返す（Ｃ）。同時に、この折り線（４４Ｌ，４４Ｒ）と平行な２本の山折り線（４５Ｌ，４５Ｒ、および４６Ｌ，４５Ｒ）を直角に折り曲げる。それによって、内側フラップ（４０Ｌ，４０Ｒ）が箱部９０内で略コの字型となるように収納される（Ｄ）。他方の内側フラップ（４０Ｒ，４０Ｌ）も同様にして箱部９０内に略コの字型となるように屈曲して収納する。なお、電池は（Ｂ）の時点、あるいは（Ｄ）の時点で箱部９０内に収納すればよい。
【００２０】
電池と左右の内側フラップ（４０Ｌ，４０Ｒ）を箱部９０内に収納したら、左右の外側フラップ（３０Ｌ，３０Ｒ）を屈曲して箱部９０の側面（５Ｌ，５Ｒ）を形成しつつ、当該箱部９０を封口して電池パッケージ１ａを完成される。そのために、まず、外側フラップ（３０Ｌ，３０Ｒ）を前面２との連接縁辺（２１Ｌ，２１Ｒ）にて谷折りにして左右側面（５Ｌ，５Ｒ）を形成しつつ、外側フラップ（３０Ｌ，３０Ｒ）の先端側が後面２に回り込むように、当該連接縁辺（２１Ｌ，２１Ｒ）に平行な谷折り線（２２Ｌ，２２Ｒ）を屈曲する（Ｅ）。そして、外側フラップ（３０Ｌ，３０Ｒ）の先端部分（７Ｌ，７Ｒ）を後面２に画成された切り込み５０に挿入して封口状態を維持する（Ｆ）。
【００２１】
なお、本実施例では、外側フラップ（３０Ｌ，３０Ｒ）の先端部分（７Ｌ，７Ｒ）は、凸状の舌片（７Ｌ，７Ｒ）を形成しており、この舌片（７Ｌ，７Ｒ）を後面２に画成された波形の切り込み５０に差し込んで封口状態を維持する構造となっている。そして、当該舌片（７Ｌ，７Ｒ）は、切り込み５０への挿入作業を容易にするために、先端縁辺の角３３２が面取りされている。また、舌片（７Ｌ，７Ｒ）の基部の両端３３は切り欠かれており、舌片（７Ｌ，７Ｒ）を切り込み５０に差し込んだ後は、この切欠部３３が波形の切り込み５０の両端５１に引っ掛かり、舌片（７Ｌ，７Ｒ）が容易に抜けないようになっている。
【００２２】
以上のように、本実施例の電池パッケージ１ａは、紙製の１枚の台紙２００ａを起源として組み立てられるため環境に優しい。また、シール工程など特別な装置を使用した製造工程を必要とせず、台紙２００ａを折り線に沿って屈曲させるだけで組み立てられるため、低コスト化が可能であり、大がかりな設備投資も不要なので、生産拠点の移転などにも速やかに対応できる。しかも、内側フラップ（４０Ｌ，４０Ｒ）の全長ｗ４０や基端（４４Ｌ，４４Ｒ）とそれに隣接する折り線（４５Ｌ，４５Ｒ）との距離ｗ４１を収納する電池のサイズに応じて適宜に設定することで、収納される電池のサイズに依らず、箱部９０の左右の幅を電池パッケージの全幅ｗとして統一させることができる。そのため、店頭に吊り下げて陳列した際の見映えが良く、消費者の購買意欲を刺激することが期待できる。
【００２３】
＝＝＝電池パッケージのサイズについて＝＝＝
上記実施例の電池パッケージ１ａは、内側フラップ（４０Ｌ，４０Ｒ）の各部の長さ（ｗ４０〜ｗ４３）を収納される電池のサイズに応じて設定することで、電池パッケージ１ａの全幅ｗを箱部９０に収納される電池の左右幅に依らず一定にすることができる。例えば、ＬＲ６型（単三型）アルカリ電池を４本上下に４本並べて収納し、当該パッケージの全幅ｗを８５ｍｍに規定する場合であれば、一本の電池の長さ（≒５０ｍｍ）と直径（≒１４ｍｍ）とに基づいて、箱部の高さｈ９０と奥行きｔをそれぞれ、５２ｍｍ、１４ｍｍとし、内側フラップ（４０Ｌ，４０Ｒ）における各部の長さを、それぞれ、ｗ４０＝４８、ｗ４１＝１７ｍｍ、ｗ４２＝１４ｍｍ、ｗ４３＝１７ｍｍとすればよい。なお、内側フラップ（４０Ｌ，４０Ｒ）の基端（４４Ｌ，４４Ｒ）側の面（４１Ｌ，４１Ｒ）は、箱部９０内に折り返されるため、その幅（折返幅）ｗ４１は、収納する電池の左右幅に応じて正しい長さに調整する必要があるが、内側フラップ（４０Ｌ，４０Ｒ）の先端側の面（４３Ｌ，４３Ｒ）は、内側フラップ（４０Ｌ，４０Ｒ）をコの字型に屈曲した状態で箱部９０内に収納するために設けられているので、その長さｗ４２は、ｗ４１≧ｗ４２＞０を満たしていればよい。
【００２４】
さらに、箱部９０の高さｈ９０に応じてフック部の高さｈ１０を設定することで、電池パッケージの全高ｈも電池サイズに依らず一定にすることができる。ここで、電池パッケージ１ａの全幅ｗと全高ｈを一定（ｗ＝８５ｍｍ，ｈ＝１０８ｍｍ）にした場合における電池パッケージ１ａの各部のサイズ（ｗ４０，ｗ４１，ｈ１）と、収納電池のサイズおよび個数との関係を例示する。なお、電池は、上下に１列に並べて箱部９０に収納されることとする。
【００２５】
以下の表１に、収納電池のサイズと個数、および各部のサイズを示した。
【表１】
0005331364.tif 000002
【００２６】
＝＝＝フック部の構造について＝＝＝
上記実施例では、フック部１０は、台紙２００ａにおける前面フック部１２と後面フック部１３を貼着することで形成されていた。この例に限らず、例えば、外側フラップ（３０Ｌ，３０Ｒ）のように、前面フック部１２に左右に延長するフラップ（フック用フラップ）を連接し、そのフック用フラップの先端を後面フック面に画成した切り込みに差し込んで前後のフック面を積層状態で保持してもよい。当該フラップを用いてフック部を形成する電池パッケージの一例を図５と図６に示した。図５は当該電池パッケージ１ｂの外観図であり、図６は台紙２００ｂの平面図である。前面フック部１２ｂの左右縁辺（２７Ｌ，２７Ｒ）に左右に延長するフック用フラップ（６０Ｌ，６０Ｒ）が連接されており、当該フラップ（６０Ｌ，６０Ｒ）の先端側は外側フラップ（３０Ｌ，３０Ｒ）と同様の舌片（６２Ｌ，６２Ｒ）が形成されている。そして、後面フック部１３ｂには、箱部９０の後面２と同様の波形の切り込み７０が画成されている。
【００２７】
この電池パッケージ１ｂの組み立て手順としては、まず、台紙２００ｂを上下を二分割する折り線２４に沿って谷折りにし、前面フック部１２ｂと後面フック部１３ｂを積層させる。この状態でフック用フラップ（６０Ｌ，６０Ｒ）の先端側が後面フック部１３ｂの背面に回り込むように前面フック部１３ｂとの連接縁辺（２７Ｌ，２７Ｒ）にて山折りにする。そして、舌片（６０Ｌ，６０Ｒ）を後面フック部１３ｂの切り込み７０に挿入する。なお、フック用フラップ（６０Ｌ，６０Ｒ）の舌片（６２Ｌ，６２Ｒ）も外側フラップ（３０Ｌ，３０Ｒ）の舌片（７Ｌ，７Ｒ）と同様に、切り込み７０への挿入を容易にするために先端縁辺の角６３が面取りされているとともに、挿入後の抜けを防止するために切り込み７０の端部７１に引っ掛かる切欠部６４が基部の両端に画成されている。
【００２８】
以上のようにしてフック部１０ｂを形成した後は、図４（Ｂ）〜（Ｆ）に示した手順で電池パッケージ１ｂを組み立てればよい。このように、フック用フラップ（６０Ｌ，６０Ｒ）によって前面フック部１２ｂと後面フック部１３ｂを積層状態で保持することで、フック部１０ｂを接着するための工程が不要となり、全て手作業で組み立てることが可能となる。また、熱シール用の装置など、高価な設備が不要となり、さらにコストを低下させることが可能となる。
【００２９】
＝＝＝フック部の変形例＝＝＝
フック部の形状や構造は、上記実施例に限らず、箱部に電池を収納した状態で吊せればどのような形状であってもよい。図７（Ａ）（Ｂ）にフック部の形状や構造が異なる電池パッケージを例示した。（Ａ）にフック部の形状が上記実施例（１ａ，１ｂ）とは異なる電池パッケージを例示した。この電池パッケージ１ｃは、フック部１０ｃの形状が鈎型となっている。また、（Ｂ）にフック部の構造が異なる電池パッケージを例示した。この電池パッケージ１ｄでは、フック部１０ｃを上記実施例（１ａ，１ｂ）のように、前後面のフラップ部（１２，１３、あるいは１２ｂ、１３ｂ）を積層した構造とせず、後面フック部１３ｄのみで吊り下げる構造となっている。この例では、前面フック部（１２，１２ｂ）に代えて差し込み１４が上面３に連接されている。そして、この差し込み１４が箱部９０内の内側フラップ（４０Ｌ，４０Ｒ）における基端側の面（４１Ｌ，４１Ｒ）と後面２との間１５に挿入されることで、箱部９０が上面３と側面（５Ｌ，５Ｒ）とによって封口されるようになっている。
【図面の簡単な説明】
【００３０】
【図１】本発明の実施例における電池パッケージの外観図である。
【図２】上記電池パッケージの内部構造図である。
【図３】上記電池パッケージの起源となる台紙の平面図である。
【図４】上記電池パッケージの組立手順図である。
【図５】本発明のその他の実施例における電池パッケージの外観図である。
【図６】上記その他の実施例における電池パッケージの起源となる台紙の平面図である。
【図７】上記電池パッケージにおけるフック部の変形例を示す外観図である。
【図８】従来の電池パッケージの外観図である。
【図９】上記従来の電池パッケージの起源となる台紙の平面図である。
【図１０】上記従来の電池パッケージの組立手順図である。
【符号の説明】
【００３１】
１ａ〜１ｅ  電池パッケージ
１、１０１  前面
２、１０２  後面
３、１０３  上面
４、１０４  下面
５Ｌ、５Ｒ、１０５Ｌ、１０５Ｒ  側面
７Ｌ、７Ｒ  舌片
１０、１０ｂ〜１０ｄ、１１０  フック部
３０Ｌ、３０Ｒ  外側フラップ
４０Ｌ、４０Ｒ  内側フラップ
５０  切り込み
９０、１００  箱部
【図１】
0005331364.tif 000003
【図２】
0005331364.tif 000004
【図３】
0005331364.tif 000005
【図４】
0005331364.tif 000006
【図５】
0005331364.tif 000007
【図６】
0005331364.tif 000008
【図７】
0005331364.tif 000009
【図８】
0005331364.tif 000010
【図９】
0005331364.tif 000011
【図１０】
0005331364.tif 000012